(57)【要約】      （修正有）【課題】着装中の御拝顔においても見栄えが良く、簡単に取り付けできると共に低価格で使い捨て可能な遺体用マスクを提供する。【解決手段】遺体の口Ｍを覆うマスク本体と、マスク本体の裏面に設けられ遺体の口Ｍを閉じた状態で少なくとも遺体の口の上に貼り付け可能な粘着面とを備えている。また、マスク本体が、少なくとも表面シート３と裏面シートとを有し、表面シートと裏面シートとの間に、表面シート及び裏面シートとは異なる機能を有した機能性シートが挿入されている。【選択図】図４
0003192825.tif 000002
【実用新案登録請求の範囲】
【請求項１】
遺体の口を覆うマスク本体と、
前記マスク本体の裏面に設けられ前記遺体の口を閉じた状態で少なくとも前記遺体の口の上に貼り付け可能な粘着面とを備えていることを特徴とする遺体用マスク。
【請求項２】
請求項１に記載の遺体用マスクにおいて、
前記マスク本体が、少なくとも表面シートと裏面シートとを有し、
前記表面シートと前記裏面シートとの間に、前記表面シート及び前記裏面シートとは異なる機能を有した機能性シートが挿入されていることを特徴とする遺体用マスク。
【請求項３】
請求項２に記載の遺体用マスクにおいて、
前記機能性シートが、吸水シートであることを特徴とする遺体用マスク。
【請求項４】
請求項２に記載の遺体用マスクにおいて、
前記機能性シートが、防臭シートであることを特徴とする遺体用マスク。
【請求項５】
請求項１から４のいずれか一項に記載の遺体用マスクにおいて、
前記マスク本体の表面が、柄が織り込まれた布で構成されていることを特徴とする遺体用マスク。
【考案の詳細な説明】
【技術分野】
【０００１】
本考案は、遺体の口開きを防止するために用いられる遺体用マスクに関する。
【背景技術】
【０００２】
人が死亡した際、遺体の口が開放された状態となり、そのまま死後硬直してしまうと、口が開いたままになってしまうことから、通常、顎あてやバンド等によって遺体の口開き防止が図られている。また、特許文献１〜３では、遺体の口腔内に導入されて上顎と下顎とを開かないように固定する遺体用口開放防止具、遺体用弛緩防止具又は口腔内挿入具等が提案されている。
【先行技術文献】
【特許文献】
【０００３】
【特許文献１】特開２０１０−１１０４７１号公報
【特許文献２】特開２００１−２５８９６３号公報
【特許文献３】特開２００６−１４９４５８号公報
【考案の概要】
【考案が解決しようとする課題】
【０００４】
上記従来の技術には、以下の課題が残されている。
上記顎あてやバンド等は、いずれも価格が高いと共に、着装に時間がかかってしまうという不都合があった。また、バンドなどは、外した後に跡が残ってしまい外観上好ましくない。さらに、上記各特許文献に記載の口腔内に挿入する防止具等では、高価格になってしまうと共に、口腔内に挿入する手間がかかるという問題があった。
【０００５】
本考案は、前述の課題に鑑みてなされたもので、着装中の御拝顔においても見栄えが良く、簡単に取り付けできると共に低価格で使い捨て可能な遺体用マスクを提供することを目的とする。
【課題を解決するための手段】
【０００６】
本考案は、前記課題を解決するために以下の構成を採用した。すなわち、第１の考案に係る遺体用マスクは、遺体の口を覆うマスク本体と、前記マスク本体の裏面に設けられ前記遺体の口を閉じた状態で少なくとも前記遺体の口の上に貼り付け可能な粘着面とを備えていることを特徴とする。
この遺体用マスクでは、マスク本体の裏面に設けられ遺体の口を閉じた状態で少なくとも遺体の口の上に貼り付け可能な粘着面を備えているので、口を閉じた状態の上唇及び下唇の上に粘着面によって遺体用マスクを貼り付けることで、口の閉じた状態を維持することができる。また、この遺体用マスクは、粘着面によって容易に着脱可能であると共に、低価格で作製可能であり、さらに使い捨てもできる。さらに、単にテープなどで口を固定する場合に比べて見苦しくなく、バンドに比べて外した後も跡が残らず、外観的にも良好である。
【０００７】
第２の考案に係る遺体用マスクは、第１の考案において、前記マスク本体が、少なくとも表面シートと裏面シートとを有し、前記表面シートと前記裏面シートとの間に、前記表面シート及び前記裏面シートとは異なる機能を有した機能性シートが挿入されていることを特徴とする。
すなわち、この遺体用マスクでは、表面シートと裏面シートとの間に、表面シート及び裏面シートとは異なる機能を有した機能性シートが挿入されているので、機能性シートに応じて、他の特定の効果を得ることができる。
【０００８】
第３の考案に係る遺体用マスクは、第２の考案において、前記機能性シートが、吸水シートであることを特徴とする。
すなわち、この遺体用マスクでは、機能性シートが、吸水シートであるので、血液等の体液がしみ出た場合でも吸水シートで吸い取ることができる。
【０００９】
第４の考案に係る遺体用マスクは、第２の考案において、前記機能性シートが、防臭シートであることを特徴とする。
すなわち、この遺体用マスクでは、機能性シートが、防臭シートであるので、口元からの臭いも防ぐことができる。
【００１０】
第５の考案に係る遺体用マスクは、第１から第４の考案のいずれかにおいて、前記マスク本体の表面が、柄が織り込まれた布で構成されていることを特徴とする。
すなわち、この遺体用マスクでは、マスク本体の表面が、柄が織り込まれた布で構成されているので、貼り付けた状態でも柄に応じて外観的に見栄えが良くなる。
【考案の効果】
【００１１】
本考案によれば、以下の効果を奏する。
すなわち、本考案に係る遺体用マスクによれば、マスク本体の裏面に設けられ遺体の口を閉じた状態で少なくとも遺体の口の上に貼り付け可能な粘着面を備えているので、貼り付けることで口の閉じた状態を維持することができ、容易に着脱可能であると共に、低価格で作製可能であり、さらに使い捨てもできる。
したがって、低価格で簡易な取り付けが可能であり、着装中の御拝顔の見栄えも良くなり、脱着後の一般の会葬、拝顔の折には、端正な寝顔での状態を得ることができる。
【図面の簡単な説明】
【００１２】
【図１】本考案に係る一実施形態の遺体用マスクを示す表面図である。
【図２】本実施形態において、遺体用マスクを示す裏面図である。
【図３】本実施形態において、遺体用マスク内に挿入された機能性シートをマスク本体を開口させた状態で示す斜視図である。
【図４】本実施形態において、遺体用マスクを貼り付けた状態を示す図である。
【考案を実施するための形態】
【００１３】
以下、本考案に係る遺体用マスクの一実施形態を、図１から図４を参照しながら説明する。
【００１４】
本実施形態の遺体用マスク１は、図１から図４に示すように、遺体の口Ｍを覆うマスク本体２と、マスク本体２の裏面に設けられ遺体の口Ｍを閉じた状態で少なくとも遺体の口Ｍの上に貼り付け可能な粘着面７とを備えている。
上記マスク本体２は、全体が長方形状に形成されている。例えば、９ｃｍ×１１〜１５ｃｍのサイズが採用される。
【００１５】
上記粘着面７は、両面テープで構成されている。この両面テープは、図２に示すように、マスク本体２の裏面中央に貼り付けられ、マスク本体２の長手方向に直交する方向に延在して粘着面７とされている。この粘着面７の幅は、例えば５ｃｍに設定される。これらマスク本体２及び粘着面７は、複数のサイズを用意しておくことが好ましい。
【００１６】
上記マスク本体２は、図３に示すように、表面シート３と裏面シート４とを有し、表面シート３と裏面シート４との間に、表面シート３及び裏面シート４とは異なる機能を有した機能性シート５が挿入されている。
上記表面シート３及び裏面シート４は、例えば光沢糸を使った布であり、特に熱融着を考慮して熱溶融可能な化学繊維を使用したものが好ましい。
【００１７】
また、マスク本体２の表面は、柄Ｇが織り込まれた布で構成されている。すなわち、表面シート３には、菊、鳳凰、波紋等の柄Ｇを光の反射変化による綾織により紡織された布が使用されている。
【００１８】
上記機能性シート５は、種々の機能を有する布や不織布等であって、本実施形態では吸水シート又は防臭シートである。
例えば、吸水シートとしては、吸水性の高いガーゼ等が採用可能であり、防臭シートとしては、活性炭入りシート等が採用可能である。
なお、機能性シート５は、同じ機能のもの又は別の機能のものを複数枚重ねて挿入しても構わない。
【００１９】
なお、表面シート３及び裏面シート４の周囲は、食品袋等の口を溶着させるシーラー機などを使ってヒートセットし、糸のほつれを防止している。また、機能性シート５を挟んだ状態で表面シート３と裏面シート４とを重ね合わせ、この状態で４辺をヒートセットしてマスク本体２を構成している。
また、かがりミシンを使って上記４辺をかがり縫いすることで、糸のほつれを防止すると共に、表面シート３と機能性シート５と裏面シート４とを重ねたマスク本体２を構成しても構わない。また、直接縫いミシンを使って上記４辺を５ｍｍ程度折り返した部分を直接縫いしても構わない。
【００２０】
次に、本実施形態の遺体用マスク１の使用方法について、図４を参照して説明する。
【００２１】
まず、遺体の口Ｍが開いている状態の場合、口Ｍを閉じさせた状態で粘着面７の両面テープのカバーシートを剥がし、少なくとも上唇と下唇との上に粘着面７を密着させて遺体用マスク１を貼り付けて着装を行う。この際、着装中での御拝顔でも見苦しくない。なお、鼻の穴に挿入された綿が見えないように、鼻の穴をカバーするように遺体用マスク１を貼り付けても構わない。
さらに、死語硬直後に遺体用マスク１を外しても、口が開かず、一般のご会葬、拝顔の折には、端正な寝顔での状態となる。
【００２２】
このように本実施形態の遺体用マスク１では、マスク本体２の裏面に設けられ遺体の口Ｍを閉じた状態で少なくとも遺体の口Ｍの上に貼り付け可能な粘着面７を備えているので、口Ｍを閉じた状態の上唇及び下唇の上に粘着面７によって遺体用マスク１を貼り付けることで、口Ｍの閉じた状態を維持することができる。また、この遺体用マスク１は、粘着面７によって容易に着脱可能であると共に、低価格で作製可能であり、さらに使い捨てもできる。さらに、単にテープなどで口Ｍを固定する場合に比べて見苦しくなく、バンドに比べて外した後も跡が残らず、外観的にも良好である。
【００２３】
また、表面シート３と裏面シート４との間に、表面シート３及び裏面シート４とは異なる機能を有した機能性シート５が挿入されているので、機能性シート５に応じて、他の特定の効果を得ることができる。特に、機能性シート５が、吸水シートである場合は、血液等の体液がしみ出た場合でも吸水シートで吸い取ることができる。また、機能性シート５が、防臭シートである場合は、口元からの臭いも防ぐことができる。
さらに、マスク本体２の表面が、柄Ｇが織り込まれた布で構成されているので、貼り付けた状態でも柄Ｇに応じて外観的に見栄えが良くなる。
【００２４】
なお、本考案の技術範囲は上記実施形態に限定されるものではなく、本考案の趣旨を逸脱しない範囲において種々の変更を加えることが可能である。
【００２５】
例えば、マスク本体の一対の長辺部分のうち、一方に細く延在する樹脂製又は金属製の帯状支持部材を取り付けておいても構わない。すなわち、一般的な風邪又は花粉症対策用のマスク等に採用されているノーズフィッターと同様に、マスク本体の中央部で帯状支持部材を山型に折り曲げることで、遺体用マスクを顔の形状に合わせて変形させ、貼り付けても構わない。
また、マスク本体の一対の短辺部分に耳かけゴムを取り付けて、一般的な風邪又は花粉症対策用のマスク等と同様に、遺体の耳に耳かけゴムを取り付けて装着しておくことで、遺体用マスクをさらにしっかり固定しておくことも可能になる。
【符号の説明】
【００２６】
１…遺体用マスク、２…マスク本体、３…表面シート、４…裏面シート、５…機能性シート、７…粘着面、Ｍ…遺体の口
【図１】
0003192825.tif 000003
【図２】
0003192825.tif 000004
【図３】
0003192825.tif 000005
【図４】
0003192825.tif 000006